Podtech/llm-jp-corpus-v4-ja_patent huggingface dataset:
(57)【要約】【課題】開缶後の一斗缶に対する漏洩防止、揮発や蒸発の防止、ゴミ侵入防止の各効果の得られる一斗缶用の冠着体を提供する。【解決手段】適度の弾力性と柔軟性を有する板状非透水性素材にて、平面視方形で無底中空直方体を形成したことを特徴とする。【選択図】図７
2018090317.tif 000002
【特許請求の範囲】
【請求項１】
適度の弾力性と柔軟性を有する板状非透水性素材にて、平面視方形で無底中空直方体を形成したことを特徴とする一斗缶用冠着体。
【請求項２】
冠着部材における平面視サイズを、一斗缶よりやや小としてなる請求項１記載の一斗缶用冠着体。
【請求項３】
冠着部材の厚さを２ミリメートルから３ミリメートルの範囲内としてなる請求項１または２記載の一斗缶用冠着体。
【発明の詳細な説明】
【技術分野】
【０００１】  この発明は、開缶後の一斗缶に冠着する冠着体に関する。
【背景技術】
【０００２】  従来より、一斗缶は多用されてきているが、本発明にて示すように、この缶に冠着して用いる部材は見当たらない。
【発明の概要】
【発明が解決しようとする課題】
【０００３】  一斗缶の正式名称は１８リットル缶で、その名の通り１８リットルの容量を有し、ブリキで造られた直方体形状の缶である。用途としては、水煮などの食品、せんべい、海苔、食用油、塗料、化学薬品、自動車の不凍液、ブレーキオイルなどの保存に用いられている。
通常はその天板上面に取っ手が設けられ、内容物が液体の場合にはブリキ製の丸いキャップが設けられて、その中央部を押して外側のツメを広げて開ける。業務用として多用されるが、このキャップを外して内容物を別の容器等に注ぐとき、時間の節約のために、天板を専用工具にて三方を切り、この天板を上に持ち上げてから約１８０度折り曲げて内容物を取り出す作業も一般化している。
全量使用以外のときは、この折曲して開いた天板を元の位置に戻してそのまま保管するが、これは種々の問題を有している。まず、天板と側面との間に隙間が生ずるために運搬時の揺れなどにて内容物がこぼれる恐れがある。また、この隙間からゴミやホコリの侵入の恐れがある。さらに、内容物が不揮発性材料以外のときは、時間の経過とともに揮発や蒸発にて内容物濃度変化の恐れがある。しかし、こういった場合に対する適切な手段が見当たらないのが現状である。
本発明は以上に鑑み、弾力と伸縮性を有する素材にて一斗缶に冠着可能なる部材を設けて、この部材を開缶後の一斗缶に冠着させることにて、既述の課題を解決することを目的として発明されたものである。
【課題を解決するための手段】
【０００４】  課題を解決する手段として本発明は以下の構成とした。
すなわち、適度の弾力性と柔軟性を有する板状非透水性素材にて、平面視方形で無底中空直方体を形成する。本発明は以上の構成よりなる一斗缶用冠着体である。
【発明の効果】
【０００５】  本発明によれば、一斗缶上部に冠着させるとともにその弾力にて一斗缶に対して押圧接触させることができるので、缶内容物の漏洩と揮発およびゴミ等の侵入を防止することのできる、新規かつ有用なる手段を得ることができる。また、構造シンプルにて比較的安価に製造することができる。
【図面の簡単な説明】
【０００６】
【図１】本発明の平面図
【図２】本発明の正面図
【図３】Ａ−Ａ断面図
【図４】従来の一斗缶斜視図（開缶前）
【図５】従来の一斗缶斜視図（天板折曲時）
【図６】従来の一斗缶斜視図（天板復帰時）
【図７】本発明の使用説明図
【発明を実施するための最良の形態】
【０００７】  以下、本発明の実施形態について説明する。
図において、１は本発明の冠着体で、その材質は適度の弾力性と柔軟性および非透水性素材としての生ゴムである。サイズは平面視において一斗缶サイズより数ミリメートルほど小さく、上下は５０〜１５０ミリメートルくらい、厚さは２〜３ミリメートルである。
この冠着体は平面視方形、正面視長方形で、図３にて示すようにその断面において下部開放の中空直方体である。すなわち、上板部２に連続して側板部３が一体形成される。
本発明の使用に際しては、図７にて示すように、開缶後の一斗缶の上部に冠着させる。
生ゴム製のため、適度の弾力と柔軟性を有しているので、冠着時には手で広げて冠着させる。この状態において、この冠着体は一斗缶に対し押圧接触し、一斗缶をぴったりと覆うためにその内容物の漏洩、ゴミ等の侵入、揮発や蒸発を防止することができる。
再使用のときは、側部の下から指を入れて広げることにて、一斗缶から本品を外すことができる。【０００８】  以上、本発明について記したが、既述のごとく本発明により開缶後の一斗缶に発生する種々の課題を解決することができる。一斗缶は規格によってその形状とサイズが決まっており、適切なサイズにて本発明品を製作することにて、多くの場面に活用することができる。既例においては、本品材質として生ゴムを用いたが、性質が類似であれば合成樹脂を用いて製作してもよい。
本品は一斗缶に適度な押圧にて冠着できるサイズを用いるが、一斗缶内容物に合わせてその押圧力を得るべく、適宜にそのサイズを選択して製作してもよい。なお、開缶前の一斗缶に冠着させておいてもよく、一斗缶上面への汚れが防止できる。
以上のごとく、本発明によって開缶後の一斗缶に備わる種々の問題を解消できる有用なる物品を得ることができる。
【符号の説明】
【０００９】  １    缶着体
２    上板部
３    側板部
１０  一斗缶
１１  取手
１２  キャップ
１３  天板
１４  流出口
１５  隙間
【図１】
2018090317.tif 000003
【図２】
2018090317.tif 000004
【図３】
2018090317.tif 000005
【図４】
2018090317.tif 000006
【図５】
2018090317.tif 000007
【図６】
2018090317.tif 000008
【図７】
2018090317.tif 000009
(57)【要約】【課題】密封時の密封度の高さを維持しながら、容易に開封時に開封可能な開口可能な収納袋を提案する。【解決手段】  側面に切断用テープがほぼ一周に亘って接着される収納袋であって、前記切断テープの端部で前記切断テープは前記収納袋に溶着され、前記切断テープはさらに、紐帯として連結している収納袋を提供する。【選択図】図１
2018090312.tif 000002
【特許請求の範囲】
【請求項１】
側面に切断用テープがほぼ一周に亘って接着される収納袋であって、前記切断テープの端部で前記切断テープは前記収納袋に溶着され、前記切断テープはさらに、紐帯として連結している収納袋。
【発明の詳細な説明】
【技術分野】
【０００１】
本発明は、物品を収納する収納袋であって、収納袋を密封した後に開封する際に、刃物等の道具を用いることなく容易に開封することのできる収納袋を提供することに関する。
【背景技術】
【０００２】
従来、収納物の鮮度を保持する場合や、乾燥が必要な場合は、収納物を収納袋に収納後に収納袋の開口部を密封したり、さらには中の空気を排気して、窒素ガスを封入したり、排気を進めて収納袋内部を真空にすることがある。収納物を再び取り出す場合は、当然ながら開口部を開封する必要がある。開口部を開口するためには、密封の方法に応じて、手で接着や溶着を破って開口する場合、はさみ等の刃物を用いて開口することもある。窒素ガスを封入したり、内部を真空にする場合は、密封度を高めるために密封方法が強いため、手などでの開放が難しく、開封のために刃物が必須となることも多い。
しかし、開封に必ず刃物が必要となると、開封の工数を増やす大きな要因となる。そこで、収納物の開封を容易にするために例えば特許文献１で円滑な開封を実現する技術が提案されていた。
【先行技術文献】
【特許文献】
【０００３】
【特許文献１】特開２００５−４１５２４号公報
【発明の概要】
【発明が解決しようとする課題】
【０００４】
ところで、特許文献１では、テープ通しを貼着する等密封度が高い場合に強度に難点があった。
【０００５】
そこで、本発明の目的は、密封時の密封度の高さを維持しながら、容易に開封時に開封可能な開口可能な収納袋を提案することにある。
【課題を解決するための手段】
【０００６】
本発明の課題を解決する為に、側面に切断用テープがほぼ一周に亘って接着される収納袋であって、前記切断テープの端部で前記切断テープは前記収納袋に溶着され、前記切断テープはさらに、紐帯として連結している収納袋を提供する。
【発明の効果】
【０００７】
本発明に係る収納袋を適用することで、刃物を用いることなく密封した収納袋を開封することが可能となる。
にすることができる。
【図面の簡単な説明】
【０００８】
【図１】本発明の実施形態に係る収納袋の構成図である。
【図２】本発明の実施形態に係る収納袋の構成図である。
【図３】本発明の実施形態に係る収納袋の構成図である。
【図４】本発明の実施形態に係る収納袋の構成図である。。
【発明を実施するための形態】
【０００９】
次に、本発明に係る収納袋の実施の形態について図面を参照して詳細に説明する。
【００１０】
（実施形態）
図１〜４は、本発明に係る収納袋の実施形態の概略を示す図を示したものである。
【００１１】
図１は、収納袋２の断面図を示しており、収納袋２の側面に切断用テープ４がほぼ一周に亘って接着される。接着されている切断テープ４の端部６で切断テープ４は収納袋２に溶着されている。切断テープ４はさらに、紐帯８として延在しており、その端部１２まで伸びている。
【００１２】
図１では、収納袋２は、開口部１４を備えた箱部１０に収容されている。
【００１３】
図２は、収納袋２の側面図である。収納袋開口部１５に対して切断テープ４は収納袋２の底部に貼着される。
【００１４】
さらに図３に示すように、切断テープ４は接着されている部分は切断テープの幅が紐帯８の３倍程度に幅広く形成される。切断テープ４の中央部は切断テープ４の端部１６との間に切れ込みが設けられており、中央部のみが収納袋２を切断するように構成される。
【００１５】
以上の構成に対して、本収納袋２の作用について説明する。収納袋２は、予め収納袋２の側面に切断用テープ４がほぼ一周に亘って接着されている。その後に収納袋２の内部に収納物が収納される。収納後、収納袋２からさらに空気が排気される。排気が完了すると、収納袋２の開口部は、溶着等の方法により密封される。
【００１６】
密封後、収納物を取り出すためには、操作者は端部１２を引張して、収納袋２から、紐帯８を引く。すると、切断テープ４の端部６で、収納袋２が破れる。さらに、紐帯８を引くことで、収納袋２の破れから収納袋が裂けて開封される。紐帯８を引くことで、収納袋２を完全に裂くことができる。
【００１７】
また、紐帯８に自動巻き取り機を用いて巻き取るとより高速に巻き取り、切断が可能となる。
【符号の説明】
【００１８】
２  収納袋
４  切断用テープ
６  端部
８  紐帯
１２  端部
１４  開口部
１０  箱部
１６  端部
１５  収納袋開口部
【図１】
2018090312.tif 000003
【図２】
2018090312.tif 000004
【図３】
2018090312.tif 000005
【図４】
2018090312.tif 000006
(57)【要約】【課題】サイクリング時に風の影響を受けて、前進が困難な場合が多々経験される。【解決手段】自転車輪のスポーク内側の間隙に、捻じれの無い対称翼型断面で形成されたウエルズタービンを取り付ける。【選択図】図１
2018090132.tif 000002
【特許請求の範囲】
【請求項１】
自転車輪のスポークの内側間隙に、ウエルズタービンを内装していることを特徴とする自転車輪。
【請求項２】
当該ウエルズタービン内装自転車輪が、自転車の後輪であることを特徴とする自転車輪。
【請求項３】
当該ウエルズタービン内装自転車輪が、自転車の前輪であることを特徴とする自転車輪。
【請求項４】
当該ウエルズタービン内装自転車輪が、自転車の前輪および後輪であることを特徴とする自転車輪。
【発明の詳細な説明】
【技術分野】
【０００１】
本発明は、自転車の車輪に関するものである。
【背景技術】
【０００２】
自転車は日常生活において幅広く活用され、機構の単純さから時代を超えて存続し続けてきた技術であり、また、これからも使用され続けていくことは言うまでもない。
【０００３】
自転車はまた、スポーツとしても非常に大きな広がりを有しており、各種競技やサイクリングなどは益々盛んになっている。
【０００４】
サイクリングを楽しむ場合、しばしば経験されるのが風の問題であり、特に平野部の河川堤防沿いのサイクリング道においては、季節により一定方向の風が常時感じられる場合が多い。
【０００５】
風を利用する乗り物の最たるものはヨットであるが、ヨットは向かい風でも斜め前方に進むことが可能である。自転車の場合は通常そのようなことは困難であり、向かい風の場合殆ど前に進めない場合すらある。
【０００６】
同じく海洋に関する技術の中で、捩れのない対称翼断面の羽根を有するウエルズタービンが知られており、このタービンは回転面のどちらから風があたっても同一方向に回転する。この特性を生かして波によって生じる往復流中でも発電できるタービンとして利用されている。
【先行技術文献】
【非特許文献】
【０００７】
【非特許文献１】Wikipedia Wells turbine
【非特許文献２】井上雅弘、金子賢二、瀬戸口敏明、ウエルズタービンに関する研究（第１報、起動特性のシミュレーション）、日本機械学会論文集（Ｂ編）５０巻４５９号（昭５９−１１）、pp.２５９２−２５９８.
【非特許文献３】井上雅弘、金子賢二、瀬戸口敏明、ウエルズタービンに関する研究（第１報、定常性能試験によるロータ形状の選定）、日本機械学会論文集（Ｂ編）５０巻４５９号（昭５９−１１）、pp.２５９９−２６０４.
【非特許文献４】spoke fin  http://www.nullwinds.com/products-spoke-fins.html
【発明の概要】
【発明が解決しようとする課題】
【０００８】
従来自転車は向かい風等の状況では、空気抵抗が増大し、サイクリングなどの障害となり得た。
【課題を解決するための手段】
【０００９】
自転車輪にウエルズタービンを内装する。
【発明の効果】
【００１０】
自転車輪にウエルズタービンを内装すると、前方、側方、あるいは後方からの風の中の走行においても、車輪回転面に垂直な風の速度成分によって、当該ウエルズタービンが常に風力に伴う前進トルクを発生するため、風上走行時の搭乗者のパワーが軽減される。
【図面の簡単な説明】
【００１１】
【図１】図１は風車内装自転車の構成を示した説明図である。（実施例１）
【図２】図２は風車内装自転車の構成を示した説明図である。（実施例１）
【図３】図３は風車の作動原理図である。（実施例１）
【発明を実施するための形態】
【００１２】
自転車輪のスポークの内側の間隙に、捻じれの無い対称翼型断面を有するウエルズタービンを内装して、横風等を受けた場合に前進トルクが発生する形態となっている。
【実施例１】
【００１３】
図１は、本発明の１実施例であって、１は自転車輪であり、前輪あるいは後輪、または両方のタイヤ部分等に対応している。２はスポークであり、３の軸とタイヤ部分を結合している。４は本発明にかかわるウエルズタービンの羽根であり、図１の実施例においては４枚の羽根でから成っている。点線で示された矢印は回転方向を表している。
【００１４】
図２は図１の実施例の鳥瞰図であり、同じ符号は図１と同じ部分に対応しており、１は自転車輪、２はスポーク、３は軸であり、４は捩れの無い対称翼断面を有するウエルズタービンの羽根である。点線で示された矢印は回転方向を表している。
【００１５】
図３はにおいて４は捩れの無い対称翼型を有するウエルズタービンの羽根であり、その断面を表している。５は横風の速度、６は羽根４の当該断面における速度、７は横風の速度５と、羽根４の速度６が合成された相対速度、８は相対速度に直角に生じる、羽根４の揚力、を表している。８の揚力は、回転方向の前進トルクを生じ、サイクリング時の運転者のパワーを軽減する。
【００１６】
なお、図１、図２には示されないが、羽根４は自転車輪１やスポークにテープ等で固定されている。
【産業上の利用可能性】
【００１７】
サイクリング時の風の影響を軽減でき、自転車技術における空気力学の応用として、機械産業の新しい領域が形成される。
【符号の説明】
【００１８】
１  自転車輪
２  スポーク
３  軸
４  捻じれの無い対称翼型断面を有するウエルズタービンの羽根
５  横風
６  自転車輪の回転速度
７  横風と自転車輪速度の合成である相対速度
８  揚力
【図１】
2018090132.tif 000003
【図２】
2018090132.tif 000004
【図３】
2018090132.tif 000005
(57)【要約】【課題】鼻と口を覆うマスクについて、マスク上部と鼻と頬骨の間に形成される隙間からの吐気漏れを軽減させることを簡易にすることを目的とする。【解決手段】薄膜片３０はマスク本体１０の内側上辺部に設けてあり、上辺の中央から端部が一部折りたたんだ状態として上辺をマスク本体１０の上辺部と接合し、薄膜片の下辺部が膨らんだ状態とする。この膨らみにより、マスク上部と鼻と頬の間に形成される隙間を塞ぎ、この隙間からの吐気によるメガネの曇りを軽減させる。【選択図】図１
2018090937.tif 000002
【特許請求の範囲】
【請求項１】
マスク本体上辺部内側に、通気性がマスク本体より悪く、かつ適度に柔軟性がある薄膜片を有し、薄膜片上辺部とマスク本体上辺部は接合されており、薄膜片は接合している上辺の一部が縮められており、下辺に対し上辺が短く、下辺が膨らんだ状態であることを特徴とするマスク。
【発明の詳細な説明】
【技術分野】
【０００１】  本発明は、鼻と口を覆うマスクにおいて、上部の隙間からの吐気によりメガネが曇ることを軽減させるマスクに関する。
【背景技術】
【０００２】  従来の一般的なマスクでは、鼻と口を覆うマスクにおいて、マスク上部と鼻と頬骨の間に形成される隙間から吐気が上昇し、吐気の水蒸気によりメガネが曇るという問題があった。【０００３】  このようなメガネの曇りを軽減ないし解消すべく、従来より幾つかの提案がなされている。【０００４】  特許文献１では、マスク上部に薄膜片を有し、この薄膜片を鼻に沿わせて立体的に広げることにより前記の隙間を塞ぐように図っている。
【先行技術文献】
【特許文献】
【０００５】
【特許文献１】特許第６００７４２５号広報
【発明の概要】
【発明が解決しようとする課題】
【０００６】  前述特許文献１に記載された方法では、使用時に薄膜片の両端部を下げると共に薄膜片をマスク本体に保持することにより、薄膜片の下辺を膨らませる構造であるが、使用時に薄膜片をマスク本体に保持することは使用時に煩雑な手間がかかると考えられる。
【課題を解決するための手段】
【０００７】  本発明は、このような事情に鑑みてなされたもので、薄膜片の上辺を折り込んで上辺を短くして薄膜片の下辺を膨らませた状態とする。
【発明の効果】
【０００８】  本発明では、マスク本体と上辺部が接合した薄膜片の下辺が膨らんでおり、マスクを口鼻部に当てると膨らみは鼻と頬とマスク上辺の間に形成される隙間を減らし、吐気の漏れによるメガネの曇りを軽減することができる。【０００９】  本発明のマスクでは、薄膜片の下辺が膨らんだ状態となっているので、簡便にマスク使用ができ、所期の効果が期待できる。
【図面の簡単な説明】
【００１０】
【図１】本発明の実施の形態を示すプリーツ型マスクの裏面図である
【図２】同上マスクであり上から見た図である
【発明を実施するための形態】
【００１１】  マスク本体上辺部と薄膜片上辺部は接合されているが、薄膜片の両端側も接合しても良い。
【００１２】  マスク本体上辺部へ塑性変形材料を設け、併用しても良い。
【００１３】  薄膜片は、１枚であっても、左右に分割してもも良い。
【符号の説明】
【００１４】１０  マスク本体
１１  耳掛紐
２０  接合部
３０  薄膜片
３１  薄膜片の折りたたみ部
【図１】
2018090937.tif 000003
【図２】
2018090937.tif 000004
(57)【要約】      （修正有）【課題】箸の収納場所が丁寧に作られており、その構造は複雑であり、そして、中身を食べ終わった後の洗浄に少々手間がかかるとともに、お弁当を作ってから包む時、箸を備え忘れることあるという問題のない弁当箱を提供する。【解決手段】容器の上面にある左右、同じ大きさの半円形の溝と、蓋の左右にある同じ半円形の溝が、その容器の蓋を閉めた時に二つの丸い円形ができる構造となっており、その丸い円形の直径とほぼ同寸法でできた箸を、片方の左右にある端穴から無理なく挿入していくことで、下の容器と上の蓋が動かないように固定され、弁当箱を密閉させる【選択図】図４
2018020038.tif 000002
【特許請求の範囲】
【請求項１】
弁当箱に関する発明であり、まず図、９に示すように容器の上面にある左右、同じ大きさの半円形の溝と、同図に示す  蓋の左右にある同じ半円形の溝が、その容器の蓋を閉めた時に二つの丸い円形ができる構造となっている。
そして、その丸い円形の直径とほぼ同寸法でできた箸を、片方の左右にある端穴から無理なく挿入していくことで、下の容器と上の蓋が動かないように固定され、弁当箱を密閉させるものである。
【発明の詳細な説明】
【技術分野】
【０００１】本発明は  弁当箱と箸の一体化に関する。
【背景技術】
【０００２】従来の弁当箱には、容器の蓋を閉じた後、別のケースに箸を収めるか  又は、蓋に付属された収納場所に箸を収めるものである。
【先行技術文献】
【特許文献】
【０００３】
【特許文献１】  特開平０５−８４１０９号  公報
【発明の概要】
【発明が解決しようとする課題】
【０００４】以上に述べた従来の弁当箱では、弁当箱と箸の収納場所が分別されており  中身を食べ終わった後の洗浄に少々手間がかかる。また、お弁当を作ったときに箸を備え忘れることがあれば、食べる時に問題が起きてしまう。
【課題を解決するための手段】
【０００５】本発明は、従来の構造が有していた問題を解決しようとするものであり、まずは洗浄しやすくするために弁当箱の凹凸をできるだけ減らした構造にすることで、洗いやすい形状に仕上げる。【０００６】そして、箸の備え忘れを防ぐためには  弁当箱の蓋は箸で固定する、という発想で構成される弁当箱を作成する。
【発明の効果】
【０００７】本発明の効果は、上記に述べた課題の洗浄、に関しては  箸の二次的収納場所や蓋を閉める為の突起物などをなくしたことで  洗浄しやすい構造とした。【０００８】また、容器の突起物や二次的接合部というものをなくしたことで、破損原因の減少にも効果があるものである。【０００９】そして、本発明である  箸で弁当箱の蓋を固定する、に関しては、容器と蓋にある  半円形の部分を組み合わせることで  左右、二か所に丸い円形状ができ、そこへほぼ同径の箸を無理なく挿入していくことにより、上下左右の遊びをなくし  容器の密閉を確保することができるものである。【００１０】また、図９に示す  容器の左右にある凸部分に関しては、一定の傾斜角度までなら外部へ中汁が出るのを防止できるという利点がある。【００１１】そして、弁当箱から箸を抜き出す方向が、利き手側になる可能性が高く、そのため蓋を開ける時の容器の向きが予測でき、食材を詰めた後の蓋を閉める向きが自由に工夫できるものである。
【図面の簡単な説明】
【００１２】
【図１】  本考案の一実施形態を示すもので、弁当箱の蓋を閉めた状態を示す平面図である。
【図２】  本考案の一実施形態を示すもので、弁当箱の蓋を閉めた状態を示す横側面図である。
【図３】  本考案の一実施形態を示すもので、仕切り板の詳細図である。
【図４】  本考案の一実施形態を示すもので、図２の縦断面図Ａである。
【図５】  本考案の一実施形態を示すもので、図２の縦断面図Ｂである。
【図６】  本考案の一実施形態を示すもので、図２の縦側面図Ｃである。
【図７】  本考案の一実施形態を示すもので、図２の縦側面図Ｄである。
【図８】  本考案の一実施形態を示すもので、弁当箱の蓋を開けた状態を示す横側面図である。
【図９】  本考案の一実施形態を示すもので、図８の縦断面図Ｅである。
【図１０】  本考案の一実施形態を示すもので、図８の縦側面図Ｆである。
【図１１】  本考案の一実施形態を示すもので、弁当箱の蓋を開けた状態を示す容器の内面図である。
【図１２】  本考案の一実施形態を示すもので、弁当箱の蓋を開けた状態を示す蓋の内面図である。
【符号の説明】
【００１３】１．箸
２．仕切り板
３．シール
４．蓋
５．容器
【図１】
2018020038.tif 000003
【図２】
2018020038.tif 000004
【図３】
2018020038.tif 000005
【図４】
2018020038.tif 000006
【図５】
2018020038.tif 000007
【図６】
2018020038.tif 000008
【図７】
2018020038.tif 000009
【図８】
2018020038.tif 000010
【図９】
2018020038.tif 000011
【図１０】
2018020038.tif 000012
【図１１】
2018020038.tif 000013
【図１２】
2018020038.tif 000014
(57)【要約】【課題】多くの女性が、家事や育児、仕事などにより、肩こりや首こりに悩まされている。そこで、手軽に意識せずに女性の肩こりの解消や低減を目的とし、肩こりや首こりから開放することにある。【解決手段】ブラジャー１１の肩ひもや背中側の留め具装着布部にツボ押しアダプター２０を装着する。ツボ押しアダプター２０は、硬性かつ弾性力を伴うゴム製突起物２１と、ツボ位置にツボ押しアダプターがくるようにブラジャー１１の肩ひもや背中側の留め具装着布部に固定するマジックテープ２２の台座２３を有する。これにより、ブラジャーの装着で常時、肩と背中のツボに刺激が与えられ、ツボ押しの効果が期待でき、その結果、肩こりの解消または低減につながる。【選択図】図１
2018020031.tif 000002
【特許請求の範囲】
【請求項１】
ブラジャーや女性用のインナー上着の肩ひもや背中側の留め具装着布部に装着自由な硬性かつ弾性力を伴うゴム製突起物を装備したツボ押しアダプター。
【請求項２】
ブラジャーや女性用のインナー上着の肩ひもや背中側の留め具装着布部に、ツボ押しアダプターを、手軽にツボ位置に固定するマジックテープをもつ台座とするツボ押しアダプター。
【発明の詳細な説明】
【技術分野】
【０００１】    本発明は肩こりや首こりの解消装置に関する。
【背景技術】
【０００２】    家事や育児、仕事などにより、多くの女性が肩こりや首こりに悩まされている。女性は男性に比べて少ない筋力で重い頭を支えていることで、より筋肉に負担が掛かり、筋肉の緊張状態が生じている。さらに女性は胸の重みを支えるために、肩への負担が常時掛かっている。そこで、ブラジャーの肩ひもや背中側の留め具装着布部に突起状の硬性かつ弾性のゴムや血行促進磁気アクセサリー用品を装着することで肩と背中のツボを刺激しツボ押しの効果が期待できるものである。
【先行技術文献】
【特許文献】
【０００３】
【特許文献１】特願２０１４−２１３１４０号公報
【発明の概要】
【発明が解決しようとする課題】
【０００４】    多くの女性が、家事や育児、仕事などにより、肩こりや首こりに悩まされている。そこで、本発明に掛かる女性の肩こり解消装置は、女性下着のブラジャーの肩ひもや背中側の留め具装着布部に硬性かつ弾性力を伴うゴム製突起物、あるいは血行促進磁気アクセサリー用品を装着することによって、肩と背中のツボに刺激が与えられ、ツボ押しの効果が期待でき、その結果、肩こりの解消または低減につながる。【０００５】    本発明は、上記事情を鑑みて、手軽に意識せずに女性の肩こりの解消や低減を目的とし、肩こりや首こりから開放することにある。
【課題を解決するための手段】
【０００６】    上記目的を達成するために、本発明に掛かる女性の肩こり解消装置は、硬性かつ弾性力を伴うゴム製突起物と、それをブラジャーに固定するためのマジックテープがついた固定用の台座を特徴とする。【０００７】    また、本発明において、硬性かつ弾性力を伴うゴム製突起物が、血行促進磁気アクセサリー用品であってもよい。【０００８】    また、本発明において、硬性かつ弾性力を伴うゴム製突起物をブラジャーに固定するための台座がクリップなどであってもよい。【０００９】    また、本発明において、肩こり解消装置の装着部であるブラジャーの肩ひもや背中側の留め具装着布部が、女性用のインナー上着の肩ひもや背中側の留め具装着布部であってもよい。
【発明の効果】
【００１０】  本発明に係る女性の肩こり解消装置によれば、家事や育児、仕事などにより多くの女性が、日々、肩こりや首こりに悩まされている状況において、手軽に意識せずに肩と背中のツボに刺激が、常時、与えられ、血行を促進し、ツボ押しの効果が持続する。その結果、肩こりや首こりの解消または低減につながる。
【図面の簡単な説明】
【００１１】
【図１】本発明の女性の肩こり解消装置の実施の形態であって、ブラジャーの肩ひもや背中側の留め具装着布部に、硬性かつ弾性力を伴うゴム製突起物を装着した設置の状態をあらわす斜視図である。
【図２】本発明に掛かる女性の肩こり解消装置における、硬性かつ弾性力を伴うゴム製突起物と、ブラジャーや女性用あるいは男性用のインナー上着の肩ひもや背中側の留め具装着布部に装着するためのマジックテープがついた固定用台座をあらわす斜視図である。
【発明を実施するための形態】
【００１２】  以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１３】  図１は、本発明に掛かる女性の肩こり解消装置である、マジックテープを台座に持つ硬性かつ弾性力を伴うゴム製突起物のアダプターをブラジャーの肩ひもや背中側の留め具装着布部に装着した設置の形態をあらわしている。
【００１４】  図２に示すように、この女性の肩こり解消装置は、硬性かつ弾性力を伴うゴム製突起物２１とブラジャーや女性用あるいは男性用のインナー上着の肩ひもや背中側の留め具装着布部に固定するためのマジックテープ２２がついた固定用の台座２３を備えたアダプターである。硬性かつ弾性力を伴うゴム製突起物２１の代わりに、血行促進磁気アクセサリー用品と、それをブラジャーの肩ひもなどに固定するためのマジックテープがついた固定用の台座を備えていてもよい。また、マジックテープの台座でなくとも、ブラジャーや女性用のインナー上着の肩ひもや背中側の留め具装着布部に固定するためのクリップやボタンであってもよい。
【００１５】  尚、本発明は、上記実施形態およびその変形例に限定されるものではなく、本願の特許請求の範囲に記載された事項およびその均等な範囲において種々の改良や変更が可能である。
【符号の説明】  １    ブラジャーにツボ押しアダプターを装着、  １１  ブラジャー、
２０  ブラジャー装着用ツボ押しアダプター、
２１  硬性かつ弾性力を伴うゴム製突起物、  ２２  マジックテープ、
２３  ブラジャーや女性用のインナー上着の肩ひもや背中側の留め具装着布部に固定す        るための台座
【図１】
2018020031.tif 000003
【図２】
2018020031.tif 000004
(57)【要約】【課題】洗い済みの包丁を、水切りかごに置く時、スッキリ安全に収納出来る包丁収納部付小物入れかごを提供する。【解決手段】洗い済みの包丁と食器類を干渉させず、刃こぼれ等を防ぐ為、包丁収納部付小物入れかご本体の収納部に包丁の刃先が当たるＶ字型の窪みを備え、また、包丁の柄が差し込み当たるコの字型の当たり部を相反対の側壁に備え、箸、スプーン、しゃもじ等の小物入れ部を備えた、包丁収納部付小物入れかごを水切りかご上部の淵に引っ掛け用の鉤型を成形されている。【選択図】図１
2018020034.tif 000002
【特許請求の範囲】
【請求項１】
洗い済みの包丁と食器類を干渉させず、刃こぼれ等を防ぐ為、包丁収納部付小物入れかご本体の収納部の側壁に包丁の刃先が当たるＶ字型の窪みを備え、また、包丁の柄が差し込み当たるコの字型の当たり部を相反対の側壁に備え、箸、スプーン、しゃもじ等の小物入れ部を備えた、包丁収納部付小物入れかごを水切りかご上部の淵に引っ掛け用の鉤型を成形されている事を特徴とする包丁収納部付小物入れかご。
【発明の詳細な説明】
【技術分野】
【０００１】  本発明は、洗い済みの包丁や小物の箸、スプーン、しゃもじ、お玉を収納し、水切りかご上部の淵に引っ掛け、または、シンク上付近に単独で置き収納する包丁収納部付小物入れかごに関するものである。
【背景技術】
【０００２】  従来、洗い済みの包丁は、水切りかごにお茶碗、お皿等と一緒に入れられていた。
【発明の概要】
【発明が解決しようとする課題】
【０００３】しかしながら、従来の洗い済みの包丁を、水切りかごに置く時、スッキリ安全に収納出来る包丁収納部付小物入れかごを課題とする。
【課題を解決するための手段】
【０００４】上述の課題を解決するために、この発明は、請求項１に記載の洗い済みの包丁と食器を干渉させず、刃こぼれ等を防ぐ為、包丁収納部付小物入れかご本体の収納部の側壁に包丁の刃先が当たるＶ字型の窪みを備え、また、包丁の柄が差し込み当たるコの字型の当たり部を相反対の側壁に備え、箸、スプーン、しゃもじ等の小物入れ部を備えた、包丁収納部付小物入れかごを水切りかご上部の淵に引っ掛け用の鉤型を成形し従来の問題点を解消する事が出来る。
【発明の効果】
【０００５】  洗い済みの包丁や小物の箸、スプーン、しゃもじ、お玉やお茶碗、お皿等と別々する事で刃こぼれの心配もなくスッキリ安全に収納出来、洗いかご上部の淵に引っ掛け、また、シンクの上に単独で置く事も出来る。
【図面の簡単な説明】
【０００６】
【図１】本発明の包丁収納部付小物入れかごの斜視図。
【図２】本発明の包丁収納部付小物入れかごの斜視図。
【図３】本発明の包丁を収納部付収納した斜視図。
【図４】本発明の包丁を収納部に収納し、水切りかご上部の淵に引っ掛けた斜視図。
【発明を実施するための形態】
【０００７】  以下、本発明の実施の形態を参照しながら説明する。
図１は、本発明の包丁収納部付小物入れかご本体１の斜視図であり、樹脂製の包丁収納部付小物入れかご本体１に、小物の箸、スプーン、しゃもじ、お玉等がばらばらに成り難い様に収納出来る仕切り１１を備え、２箇所の小物入れ３を設け、また、包丁１２がスッキリと収納し易くステンレス製の水切りかごでは、鋼線１０により包丁の刃が接触し、刃こぼれ等の防止の為に包丁収納部付小物入れかご本体１の側壁１４に包丁の刃先が当たるＶ字型の窪み４を相反対の側壁１５に設け、包丁の柄１３が差し込み当たるコの字型の当たり部５を設けた収納部２を備えた包丁収納部付小物入れかご本体１の長方形の長方１辺に水切りかご６上部の淵９に、引っ掛け用の鉤型８を成形した構造である。
【０００８】  図２は、本発明の包丁収納部付小物入れかご本体１の右側面からの斜視図であり、包丁５が安定して刃こぼれの心配も無く差し込み易い様にＶ字型の窪み４を包丁の先端部と包丁の柄１３が差し込み当たるコの字型の当たり部５を設けた構造である。
【０００９】  図３は、本発明の包丁収納部付小物入れかご本体１に包丁１２を収納部２のＶ字型の窪み４に差し込み収納し、刃こぼれ等の心配を解消し単独でシンクの上などに置く事も出来る。
【００１０】  図４は、本発明の包丁収納部付小物入れかご本体１を水切りかご６上部の淵９に引っ掛けた斜視図であり、お茶碗、お皿等と別々にする事で刃こぼれの心配もなくスッキリ安全に差し込み収納する事が出来る。
【符号の説明】
【００１１】    １    包丁収納部付小物入れかご本体
２    収納部
３    小物入れ
４    Ｖ字型の窪み
５    包丁の柄当たり部
６    水切りかご
７    トレー
８    引っ掛け用の鉤型
９    水切りかご上部の淵
１０    鋼線
１１    仕切り板
１２    包丁
１３    包丁の柄
１４    側壁
１５    相反対の側壁
【図１】
2018020034.tif 000003
【図２】
2018020034.tif 000004
【図３】
2018020034.tif 000005
【図４】
2018020034.tif 000006
(57)【要約】【課題】従来の過去帳は、手書きのものがほとんどであり過去帳を日めくりしなければ故人の命日を知ることはできない。従来の過去帳は戒名と命日のみであり、故人の生前の姿や音声を知ることはできない。【解決手段】従来の手書きの過去帳の代わりにタブレットを用いて命日に故人の生前情報（文字情報／映像情報／音声情報）を自動表示。命日を忘れることなく表示するほか生前の故人を知らなくとも故人の生前情報を知ることができる。【選択図】図１
2018020035.tif 000002
【特許請求の範囲】
【請求項１】
自動で命日、月命日を知らせてくれるタブレット
【請求項２】
故人の画像／映像データ／音声データを表示・再生するタブレット
【発明の詳細な説明】
【技術分野】
【０００１】本発明は、大切な故人（家族・友人）を偲ぶ命日を自動で知らせる装着に関するものである。
【背景技術】
【０００２】忙しい毎日にありながら命日は忘れがちになる。命日を記するものとしては過去帳がある。
現行過去帳は戒名や命日のみで個人の顔や声を知ることができない。
しかし過去帳は当事者の家の仏壇などにしかなく分家や単身赴任などにおいては知る術がないのが現状である。
【発明の概要】
【発明が解決しようとする課題】
【０００３】▲１▼  命日、月命日の通知
▲２▼  故人の画像表示、音声データ再生
▲３▼  指定者への自動配信
【課題を解決するための手段】
【０００４】故人の生前情報をタブレットへ入力。
命日、月命日が来ると自動的にモニター画面に情報（画像込）が表示され音声データがある場合はデータが再生される。
指定された通知者には自動で情報配信することもできる。
【発明の効果】
【０００５】命日、月命日の表示／通知により命日、月命日を得ることができる。【０００６】画像データ／音声データの表示により故人の画像情報／音声情報を得ることができる。
【図面の簡単な説明】
【０００７】
【図１】本発明の実施形態を示すシステム図
【発明を実施するための形態】
【０００８】以下、本発明の実施形態を図１に基づいて説明する。
図においては、１は記録媒体、２はタブレット。
文字情報、画像情報、音声データが入った記録媒体１をタブレット２に読み込ませる。
【実施例１】
【０００９】本発明は主に過去帳を目的としたものであるが遺影を目的とした使い方もできる。以下にその場合のメリットを説明する。【００１０】遺影を目的とした場合画像情報には静止画の他に動画を表示することもでき、画像にＢＧＭをつけることもできる。
その場合にはタブレット２にある画像出力端子／音声出力端子を用いる。
【実施例２】
【００１１】図１において１をスティック型コンピュータ、２をモニターとすることもできる。
【図１】
2018020035.tif 000003
(57)【要約】【課題】往復するカーソルをタイミング良く押してゲームを実施をする事に関する。【解決手段】音楽ゲームの諸々の仕方について。【選択図】図１
2018020036.tif 000002
【特許請求の範囲】
【請求項１】
往復するカーソルをタイミング良く押す音楽ゲーム。
【請求項２】
１０回押せるとか、２分ゲーム出来るとか。
【請求項３】
高得点を目指す。
【請求項４】
１回押すと色が変わる。
【請求項５】
グラビティ往復をする。
【請求項６】
様々なスキンが有る、作れる。
【請求項７】
スピードが変わる。
【請求項８】
難易度が変わる、難しいのが有る。
【請求項９】
曲やムービーや画像等を付ける。
【請求項１０】
ＢＰＭが変わってもいい。
【請求項１１】
１００円でプレイ出来る。
【請求項１２】
目が見え無くても押せる携帯型ゲーム。
【請求項１３】
携帯アプリ、家庭用、ゲームセンターに配置出来るゲーム。
【請求項１４】
風呂でも出来る、防水。
【発明の詳細な説明】
【技術分野】
【０００１】本発明は、往復するカーソルをタイミング良く押すゲームに関する、諸々のオプションの作り方。
【背景技術】
【０００２】近年、音楽ゲームが盛んだ。【０００３】図を使い、往復するカーソルをタイミング良く押すゲームの仕方について。
【発明の開示】
【発明が解決しようとする課題】
【０００４】従来では、音楽ゲームにも、様々な形が有った。【０００５】本発明は、往復するカーソルをタイミング良く押すゲーム、また、形の変え方。
【課題を解決するための手段】
【０００６】往復するカーソルをタイミング良く押すゲームについて。
【発明を実施するための最良の形態】
【０００７】図の様な音楽ゲームの在り方について。
【図面の簡単な説明】
【０００８】
【図１】音楽ゲームのやり方。
【図２】符号の説明、Ｌ，Ｍ．
【符号の説明】
【０００９】Ａ  カーソル。                  Ｉ  ＢＰＭ。
Ｂ  ゲージ。                    Ｊ  今のスコアーの数値。
Ｃ  １０．０００点ポイント。    Ｋ  トータルスコアー。
Ｄ  カウント、今のスコアー。    Ｌ  パターン変わる。
Ｅ  現在のスコアー。            Ｍ  連打。
Ｆ  ムービーや画像を付ける
Ｇ  曲が鳴って居る。
Ｈ  ＢＰＭ値。
【図１】
2018020036.tif 000003
【図２】
2018020036.tif 000004
(57)【要約】【課題】冷凍した果実を手早く大量に薄切りできる用具を提供する。【解決手段】円形の蓋面１１に蓋われ中央に軸穴１２を有する回転盤１と、蓋面１１上に軸穴１２を中心に円対称に載置された略三日月形状の２の回転翼２及び３とを有する。略三日月形状の２の回転翼２及び３の長辺はそれぞれ切刃２１・３１を形成し、蓋面１１には切刃２１・３１に沿って被切削片の受入口１１１・１１２が形成されていることを特徴とする。  使用に際しては、本用具を野菜カット機等の回転機器にセットする。回転盤１を回転させ、冷凍果実を蓋面上１１に投下する。前記冷凍果実は切刃２１又は切刃３１により薄片状に切削されると同時に、蓋面１１に形成された受入口１１１又は受入口１１２を通り、本用具の下に配置された容器に収納される。【選択図】図１
2018020385.tif 000002
【特許請求の範囲】
【請求項１】
冷凍した果実を薄片状に切削する用具であって、
円形の蓋面に蓋われ中央に軸穴を有する回転盤と、
前記蓋面上に前記軸穴を中心に円対称に載置された略三日月形状の２の回転翼と、
を有し、前記略三日月形状の２の回転翼の長辺はそれぞれ切刃を形成し、前記蓋面には前記回転翼の前記それぞれの切刃に沿って被切削片の受入口が形成されていることを特徴とする用具。  
【発明の詳細な説明】
【技術分野】
【０００１】
本発明は、冷凍した果実を薄片状に切削する用具に関する。
【背景技術】
【０００２】
消費者に人気のある氷菓としては、かき氷、クラッシュアイス、スムージー等が知られている。
【０００３】
一方、果実を凍らせたものは、ブルーベリーやイチゴなどを丸ごと凍らせたものが売られているが、これらは保存のためであり、解凍して食することを前提としている。
【発明の概要】
【発明が解決しようとする課題】
【０００４】
上述したように、現在市販の氷菓は、かき氷、クラッシュアイス、スムージー等があるが、これらは水や添加物を含み、１００パーセント果実から成るものはない。一方、丸ごと凍らせた果実は、そのままでは氷菓として食し難く、スライスする必要があるが、凍った果実をかき氷のように薄切りにするのは困難である。１００パーセント果実から成る氷菓を消費者に供給するには、凍った果実を手早く大量に薄切りできる用具が必要である。
【０００５】
上記の事情に鑑み、本発明においては、冷凍した果実を手早く大量に薄切りできる用具を提供することを課題とする。
【課題を解決するための手段】
【０００６】
上記課題を解決するために、本発明に係る用具は、冷凍した果実を薄片状に切削する用具であって、円形の蓋面に蓋われ中央に軸穴を有する回転盤と、前記蓋面上に前記軸穴を中心に円対称に載置された略三日月形状の２の回転翼とを有する。前記略三日月形状の２の回転翼の長辺はそれぞれ切刃を形成し、前記蓋面には前記回転翼の前記それぞれの切刃に沿って被切削片の受入口が形成されていることを特徴とする。
【０００７】
使用に際しては、本用具を野菜カット機等の回転機器にセットする。前期回転盤を回転させ、冷凍果実を前記蓋面上に投下する。前記冷凍果実は２の前記回転翼の前記切刃により薄片状に切削されると同時に、前記蓋面に形成された前記受入口を通り、本用具の下に配置された容器に収納される。
【発明の効果】
【０００８】
本発明に係る用具を使用することにより、水や添加物を含まない１００パーセント果実の氷菓を、手早く大量に作成し、消費者に供給することができるようになる。
【０００９】
本発明に係る用具を使用して１００パーセント果実の氷菓製品を消費者に供給することにより、新たな市場を創出することが可能となる。
【図面の簡単な説明】
【００１０】
【図１】本実施形態の用具の斜視図である。
【図２】本実施形態の用具の正面図（図１Ａ方向）である。
【図３】本実施形態の用具の背面図（図１Ｂ方向）である。
【発明を実施するための形態】
【００１１】
まず、図を用いて、本実施形態の冷凍果実切削用具の構成について説明する。
図１に示すように、本用具は、上部がドーム状の蓋面１１に被われた回転盤１と、その上に配設された第１の回転翼２及び第２の回転翼３によって構成される。第１の回転翼２及び第２の回転翼３は、軸穴１２を中心に円対称の位置に配置され、それぞれ複数の固定部材によって蓋面１１に固定されている。
【００１２】
略三日月形状を成す各々の回転翼２・３の長辺は、それぞれ切刃２１・３１を形成し、蓋面２には切刃２１・３１に沿って、第１の受入口１１１及び第２の受入口１１２が形成されている。図２は本用具の正面図（図１Ａ方向）、図３は背面図（図１Ｂ方向）であるが、各図が示すように、切刃２１と切刃３１は蓋面１１上で点対称の位置に配置され、切刃２１と蓋面１１との間には被切削物の第１の受入口１１１が、また、切刃３１と蓋面１１との間には被切削物の第２の受入口１１２が形成されている。本実施形態では、受入口１１１及び受入口１１２の高さは５ｍｍとする。
【００１３】
次に、本用具を使用して冷凍果実を薄切りする過程について説明する。
前述したように、本用具は野菜カット機等の回転機器に仮固定して使用するものである。具体的には、回転機器の回転軸を本用具の軸穴１２に固定部材で仮固定する。仮固定後、回転盤１を動作させ、前記機器の投入口より冷凍果実を投入する。
【００１４】
回転盤１は図１の矢印の方向に回転する。ここで、前述したように、受入口１１１及び受入口１１２の高さは５ｍｍであるため、投入された冷凍果実は、蓋面１１上で第１の切刃２１又は第２の切刃３１により、厚さ５ｍｍの薄片に切削される。切削された前記薄片は、受入口１１１又は受入口１１２を通り、本用具の下に配置された容器に収納される。
【００１５】
以上、本発明に係る冷凍果実切削用具の１実施例について上記実施形態に記載したが、本発明は、本発明の原理の範囲内で、本願の特許請求の範囲で使用されている言葉を広く一般的な意味にまで広げて実施することが可能である。例えば、本実施形態では、受入口１１１及び受入口１１２の高さは５ｍｍとしたが、該高さは、切削によって得られる冷凍果実の薄片の厚さを考慮して変化させることも可能であり、これら本実施形態と異なる実施も、本発明の技術的範囲に属するものである。
【符号の説明】
【００１６】
１      回転盤
１１    蓋面
１１１  第１の受入口
１１２  第２の受入口
１２    軸穴
２      第１の回転翼
２１    第１の切刃
３      第２の回転翼
３１    第２の切刃
【図１】
2018020385.tif 000003
【図２】
2018020385.tif 000004
【図３】
2018020385.tif 000005
(57)【要約】【課題】  本発明は永久磁石を用い、固定磁石Ｓ極を移動磁石Ｎ極に向けて固定する。台車の上にフレームを持ち、連結プレートにより作動し、押し出しアームで固定磁石Ｓ極に向けて溝レーンに沿って移動磁石Ｎ極を押すことを特徴とする。作動アーム、連結プレート、補助アーム、押し出しアームをアルミ板で作成し、それらをピンで組み合わせるため、安定した力を得ることができ、また作動も軽い。台車は磁石の反発で押した方向に車輪が前進する。【特許請求の範囲】
【請求項１】
（１）  本発明はアルミで作る台車の上にフレームを固定し、台車の上に固定磁石の磁石Ｓ極を固定し、その後ろに移動磁石の磁石Ｎ極を配置し、その反発を利用した永久反発機。
（２）  台車の先に固定磁石の磁石Ｓ極を固定し、その後ろに移動磁石のＮ極を溝レーンにセットする。
台車の上にフレームを持ち、フレームの中心にピンを持ち、ピンに作動アーム、連結プレート、補助アーム、押し出しアームをピンで組み合わせ、ピンで形成されることを特徴とする。作動アーム、連結プレートにより、補助アーム、押し出しアームが動く。
【請求項２】
（１）  押し出しアームで溝レーンに沿って移動磁石の磁石Ｎ極を固定磁石のＳ極に向けて押すと、作動アームを下げるバランスで移動磁石のＮ極が反発し、台車の固定磁石Ｓ極の反発で車輪が回転することで、台車が前進する。
【発明の詳細な説明】
【技術分野】
【背景の技術】
【０００１】  台車の先に永久磁石の固定磁石Ｓ極を固定し、移動磁石のＮ極は永久磁石Ｓ極に向け、溝レーンにセットする。台車のフレームの中心にある作動アームひとつで台車が動く。
【発明が解決しようとする課題】
【０００２】  移動磁石Ｎ極を溝レーンに沿って押し出しアームで押すと、台車に固定された固定磁石Ｓ極の反発で台車の車輪が押した方向に回転する。
【発明の効果】
【０００３】  台車の上にフレームを持ち、アルミで作成するフレームを中心にピンを持ち、各部品に穴を開けてピンに組み合わせて作動することでより安定した力が得られる。
【課題を解決するための手段】
【０００４】  各部品が軽く動く作動アームを下げると連結プレートにより補助アームと押し出しアームを同時に押すことができるため、作動アーム操作一つで済む。
本発明は以上により形成される。
【０００５】以下、本発明の実施形態を説明する。
イ）  作動アーム▲４▼、連結プレート▲３▼、補助アーム▲２▼、押し出しアーム▲１▼はすべてアルミ板で作成した部品であり、それらをピンで組み合わせ形成する。組み合わせが簡易であり、各部品の動きは軽い。
ロ）  フレーム中心の作動アームにより、上に反発を逃がすことで安定を図る。
ハ）  ピンに▲４▼▲３▼▲２▼▲１▼の順で組み合わせると、▲３▼が▲２▼を押し出し、▲１▼を作動させることができる。
【図面の簡単な説明】
【０００６】
【図１】本発明の断面図
【図２】本発明の部品図
【符号の説明】
【０００７】  ▲１▼押し出しアーム
▲２▼補助アーム
▲３▼連結プレート
▲４▼作動アーム
▲５▼ピン
▲６▼座金
▲７▼ナット
▲８▼固定磁石Ｓ極
▲９▼移動磁石Ｎ極
▲１０▼フレーム
▲１１▼車輪
▲１２▼台車
【図１】
2018020750.tif 000002
【図２】
2018020750.tif 000003